(57)【要約】【課題】    本発明の目的は、ブレードを迅速に交換することができると共に、ブレードの有効活用を図ることができるドクター装置を提供するものである。【解決手段】    ドクター装置１は、ロール２に当接するブレード３と、このブレード３を保持するブレードホルダー４と、このブレード３をロール２に接近又は離間する方向に旋回させる旋回手段５とを備えたドクター装置であって、ブレード３は、ロール２に当接する側の辺である第１の刃先３ａと、この第１の刃先３ａに対向する側の辺である第２の刃先３ｂとを備えているものである。【選択図】図１
2008248429.tif 000002
【特許請求の範囲】
【請求項１】
ロールに当接するブレードと、
このブレードを保持するブレードホルダーと、
このブレードを前記ロールに接近又は離間する方向に旋回させる旋回手段とを備えたドクター装置であって、
前記ブレードは、前記ロールに当接する側の辺である第１の刃先と、この第１の刃先に対向する側の辺である第２の刃先とを備えている
ことを特徴とするドクター装置。
【請求項２】
ブレードホルダーは、ブレードの上面の一部が当接支持する上部材と、前記ブレードの下面の一部が当接支持する下部材とを有し、
前記ブレードの第１の刃先が前記ブレードホルダーから突出すると共に、前記ブレードの第２の刃先が前記ブレードホルダーに非接触した状態で、前記ブレードが前記上部材と前記下部材とで保持されていることを特徴とする請求項１記載のドクター装置。
【請求項３】
ブレードの下面には下方に向かって突出するように凸部が設けられ、
前記ブレードは長手形状で、前記凸部は前記ブレードの長手方向を横断する方向に
設けられ、第１の刃先と前記凸部の中心との前記横断する方向の寸法と、前記第２の刃先と前記凸部の中心との前記横断する方向の寸法とが同じで、
下部材には上方に開口する凹所が設けられ、該凹所に前記凸部が係止する
ことを特徴とする請求項１又は２記載のドクター装置。
【請求項４】
ブレードの上面には上方に向かって突出するように凸部が設けられ、
前記ブレードは長手形状で、前記凸部は前記ブレードの長手方向を横断する方向に
設けられ、第１の刃先と前記凸部の中心との前記横断する方向の寸法と、前記第２の刃先と前記凸部の中心との前記横断する方向の寸法とが同じで、
上部材には下方に開口する凹所が設けられ、該凹所に前記凸部が係止する
ことを特徴とする請求項１又は２記載のドクター装置。
【請求項５】
ブレードの下面には下方に向かって突出するように凸部が複数設けられ、
前記ブレードは長手形状で、前記凸部は前記ブレードの長手方向を横断する方向に
複数設けられ、第１の刃先とこの第１の刃先に近い側の前記凸部の中心との前記横断する方向の寸法と、前記第２の刃先とこの第２の刃先に近い側の前記凸部の中心との前記横断する方向の寸法とが同じで、
下部材には上方に開口する凹所が設けられ、該凹所に前記凸部が係止する
ことを特徴とする請求項１又は２記載のドクター装置。
【請求項６】
ブレードの上面には上方に向かって突出するように凸部が複数設けられ、
前記ブレードは長手形状で、前記凸部は前記ブレードの長手方向を横断する方向に
複数設けられ、第１の刃先とこの第１の刃先に近い側の前記凸部の中心との前記横断する方向の寸法と、前記第２の刃先とこの第２の刃先に近い側の前記凸部の中心との前記横断する方向の寸法とが同じで、
上部材には下方に開口する凹所が設けられ、該凹所に前記凸部が係止する
ことを特徴とする請求項１又は２記載のドクター装置。
【請求項７】
ロールに当接するブレードと、
このブレードを保持するブレードホルダーと、
このブレードを前記ロールに接近又は離間する方向に旋回させる旋回手段と、
前記ブレードは、前記ロールに当接する側の辺である第１の刃先と、この第１の刃先に対向する側の辺である第２の刃先とを備え、
前記ロールに当接する前記ブレードの第１の刃先が摩耗した後、前記ブレードホルダーから前記ブレードを外し、前記第２の刃先が前記ロールに当接する側に向くように前記ブレードを前記ブレードホルダーに保持するようにする
ことを特徴とするドクター装置のブレード交換方法。
【発明の詳細な説明】
【技術分野】
【０００１】
本発明は、ドクター装置及びドクター装置のブレード交換方法に係り、特に、ブレードを迅速に交換することができると共に、ブレードの有効活用を図ることができるドクター装置及びドクター装置のブレード交換方法に関する。
【０００２】
従来、抄紙機、コータ、ワインダ等の製紙機械における仕上げ機械等に使用されるドクター装置においては、ローラにブレードを当接させて前記ローラに付着した粕、異物を除去するようにしている（例えば、特許文献１  図２参照）。
【特許文献１】特開２００１−２５４２８８号公報
【発明の開示】
【発明が解決しようとする課題】
【０００３】
このドクター装置にあっては、ローラにブレードが当接するため、ブレードが摩耗し  、摩耗がある程度進むと、ブレードを交換しなければならないと共に、摩耗したブレードは廃棄されており、資源の有効活用がなされていないという問題点があった。
【０００４】
本発明は、上記の問題点を除去するようにしたドクター装置及びドクター装置のブレード交換方法を提供することを目的とする。
【課題を解決するための手段】
【０００５】
本発明のドクター装置は、ロールに当接するブレードと、このブレードを保持するブレードホルダーと、前記ブレードを前記ロールに接近又は離間する方向に旋回させる旋回手段とを備えたドクター装置であって、前記ブレードは、前記ロールに当接する側の辺である第１の刃先と、この第１の刃先に対向する側の辺である第２の刃先とを備えているものである。
【０００６】
また、請求項２記載のドクター装置は、請求項１記載のドクター装置において、ブレードホルダーは、ブレードの上面の一部が当接支持する上部材と、前記ブレードの下面の一部が当接支持する下部材とを有し、前記ブレードの第１の刃先が前記ブレードホルダーから突出すると共に、前記ブレードの第２の刃先が前記ブレードホルダーに非接触した状態で、前記ブレードが前記上部材と前記下部材とで保持されているものである。
【０００７】
また、請求項３記載のドクター装置は、請求項１又は２記載のドクター装置において、ブレードの下面には下方に向かって突出するように凸部が設けられ、前記ブレードは長手形状で、前記凸部は前記ブレードの長手方向を横断する方向に 設けられ、第１の刃先と前記凸部の中心との前記横断する方向の寸法と、前記第２の刃先と前記凸部の中心との前記横断する方向の寸法とが同じで、下部材には上方に開口する凹所が設けられ、該凹所に前記凸部が係止するものである。
【０００８】
また、請求項４記載のドクター装置は、請求項１又は２記載のドクター装置において、ブレードの上面には上方に向かって突出するように凸部が設けられ、前記ブレードは長手形状で、前記凸部は前記ブレードの長手方向を横断する方向に 設けられ、第１の刃先と前記凸部の中心との前記横断する方向の寸法と、前記第２の刃先と前記凸部の中心との前記横断する方向の寸法とが同じで、上部材には下方に開口する凹所が設けられ、該凹所に前記凸部が係止するものである。
【０００９】
また、請求項５記載のドクター装置は、請求項１又は２記載のドクター装置において、ブレードの下面には下方に向かって突出するように凸部が複数設けられ、前記ブレードは長手形状で、前記凸部は前記ブレードの長手方向を横断する方向に複数設けられ、第１の刃先とこの第１の刃先に近い側の前記凸部の中心との前記横断する方向の寸法と、前記第２の刃先とこの第２の刃先に近い側の前記凸部の中心との前記横断する方向の寸法とが同じで、下部材には上方に開口する凹所が設けられ、該凹所に前記凸部が係止するものである。
【００１０】
また、請求項６記載のドクター装置は、請求項１又は２記載のドクター装置において、ブレードの上面には上方に向かって突出するように凸部が複数設けられ、前記ブレードは長手形状で、前記凸部は前記ブレードの長手方向を横断する方向に複数設けられ、第１の刃先とこの第１の刃先に近い側の前記凸部の中心との前記横断する方向の寸法と、前記第２の刃先とこの第２の刃先に近い側の前記凸部の中心との前記横断する方向の寸法とが同じで、上部材には下方に開口する凹所が設けられ、該凹所に前記凸部が係止するものである。
【００１１】
また、請求項７記載のドクター装置のブレード交換方法は、ロールに当接するブレードと、このブレードを保持するブレードホルダーと、前記ブレードを前記ロールに接近又は離間する方向に旋回させる旋回手段と、前記ブレードは、前記ロールに当接する側の辺である第１の刃先と、この第１の刃先に対向する側の辺である第２の刃先とを備え、前記ロールに当接する前記ブレードの第１の刃先が摩耗した後、前記ブレードホルダーから前記ブレードを外し、前記第２の刃先が前記ロールに当接する側に向くように前記ブレードを前記ブレードホルダーに保持するようにするものである。
【発明の効果】
【００１２】
請求項１記載のドクター装置によれば、ロールに当接するブレードの第１の刃先が摩耗した後、ブレードホルダーから前記ブレードを外し、第２の刃先が前記ロールに当接する側に向くように前記ブレードを前記ブレードホルダーに保持するようにするため、ブレードを迅速に交換できると共に、ブレードの有効活用を図ることができる。
【００１３】
また、請求項２記載のドクター装置によれば、上述した請求項１記載の発明の効果に加え、ブレードの第２の刃先がブレードホルダーに非接触した状態で、ブレードが上部材と下部材とで保持されているため、ブレードの第２の刃先を保護することができる。
【００１４】
また、請求項３記載のドクター装置によれば、上述した請求項１又は２記載の発明の効果に加え、ブレードの下面には下方に向かって突出するように凸部が設けられ、前記ブレードは長手形状で、前記凸部は前記ブレードの長手方向を横断する方向に設けられ、第１の刃先と前記凸部の中心との前記横断する方向の寸法と、前記第２の刃先と前記凸部の中心との前記横断する方向の寸法とが同じで、下部材には上方に開口する凹所が設けられ、該凹所に前記凸部が係止するため、ブレードが位置ずれを生じないようにすると共に、第１の刃先が摩耗した後、ブレードホルダーに第２の刃先を取り付けても、第１の刃先と第２の刃先とで位置関係が異ならないようにすることができ、位置調整が容易となる。
【００１５】
また、請求項４記載のドクター装置によれば、上述した請求項１又は２記載の発明の効果に加え、ブレードの上面には上方に向かって突出するように凸部が設けられ、前記ブレードは長手形状で、前記凸部は前記ブレードの長手方向を横断する方向に設けられ、第１の刃先と前記凸部の中心との前記横断する方向の寸法と、前記第２の刃先と前記凸部の中心との前記横断する方向の寸法とが同じで、上部材には下方に開口する凹所が設けられ、該凹所に前記凸部が係止するため、ブレードが位置ずれを生じないようにすると共に、第１の刃先が摩耗した後、ブレードホルダーに第２の刃先を取り付けても、第１の刃先と第２の刃先とで位置関係が異ならないようにすることができ、位置調整が容易となる。
【００１６】
また、請求項５記載のドクター装置によれば、上述した請求項１又は２記載の発明の効果に加え、ブレードの下面には下方に向かって突出するように凸部が複数設けられ、前記ブレードは長手形状で、前記凸部は前記ブレードの長手方向を横断する方向に複数設けられ、第１の刃先とこの第１の刃先に近い側の前記凸部の中心との前記横断する方向の寸法と、前記第２の刃先とこの第２の刃先に近い側の前記凸部の中心との前記横断する方向の寸法とが同じで、下部材には上方に開口する凹所が設けられ、該凹所に前記凸部が係止するため、ブレードが位置ずれを生じないようにすると共に、第１の刃先が摩耗した後、ブレードホルダーに第２の刃先を取り付けても、第１の刃先と第２の刃先とで位置関係が異ならないようにすることができ、位置調整が容易となる。
【００１７】
また、請求項６記載のドクター装置によれば、上述した請求項１又は２記載の発明の効果に加え、ブレードの上面には上方に向かって突出するように凸部が複数設けられ、前記ブレードは長手形状で、前記凸部は前記ブレードの長手方向を横断する方向に複数設けられ、第１の刃先とこの第１の刃先に近い側の前記凸部の中心との前記横断する方向の寸法と、前記第２の刃先とこの第２の刃先に近い側の前記凸部の中心との前記横断する方向の寸法とが同じで、上部材には下方に開口する凹所が設けられ、該凹所に前記凸部が係止するため、ブレードが位置ずれを生じないようにすると共に、第１の刃先が摩耗した後、ブレードホルダーに第２の刃先を取り付けても、第１の刃先と第２の刃先とで位置関係が異ならないようにすることができ、位置調整が容易となる。
【００１８】
また、請求項７記載のドクター装置のブレード交換方法によれば、ロールに当接するブレードの第１の刃先が摩耗した後、ブレードホルダーから前記ブレードを外し、第２の刃先が前記ロールに当接する側に向くように前記ブレードを前記ブレードホルダーに保持するようにするため、ブレードを迅速に交換できると共に、ブレードの有効活用を図ることができる。
【発明を実施するための最良の形態】
【００１９】
本発明のドクター装置及びドクター装置のブレード交換方法の一実施例を図面を参照して説明する。
【００２０】
（実施例１）
図１乃至図３において、１はドクター装置で、ドクター装置１は、ローラ２に付着した粕、異物をブレード３により除去するもので、抄紙機、コータ、ワインダ等の製紙機械における仕上げ機械等に使用されるものである。
即ち、ドクター装置１は、ロール２に当接するブレード３と、このブレード３を保持するブレードホルダー４と、このブレードホルダー４をロール２に接近又は離間する方向に旋回させる旋回手段５とを備えている。
【００２１】
ブレード３は、ロール２に当接する側の辺である第１の刃先３ａと、この第１の刃先３ａに対向する側の辺である第２の刃先３ｂとを備えている（図２及び図３参照）。
このようにブレード３に、ロール２に当接する側の辺である第１の刃先３ａに加えて  、第１の刃先３ａに対向する側の辺に第２の刃先３ｂを設けたのは、ロール２に当接するブレード３の第１の刃先３ａが摩耗した後、ブレードホルダー４からブレード３を外し  、第２の刃先３ｂがロール２に当接する側に向くようにブレード３をブレードホルダー４に保持させ（図３参照）、ブレード３を迅速に交換できるようにすると共に、ブレード３の有効活用を図るためである。
また、ブレード３の下面には、下方に向かって突出するように凸部３ｃが設けられ、この凸部３ｃは、第１の刃先３ａと第２の刃先３ｂとの中央に位置している。
つまり、ブレード３はロール２の長手方向に長い長手形状（ブレード３は平面視、略長方形）で、凸部３ｃはブレード３の長手方向を横断する方向に設けられ、第１の刃先３ａと凸部３ｃの中心との前記横断する方向の寸法（寸法の長さＬ）と、前記第２の刃先と前記凸部の中心との前記横断する方向の寸法（寸法の長さＬ）とが同じ寸法の長さＬとなっている（図２及び図３参照）。
これは、第１の刃先３ａが摩耗した後、ブレードホルダー４に第２の刃先３ｂを取り付けても、第１の刃先３ａと第２の刃先３ｂとで位置関係が異ならないようにするためで、刃先を替えることによる位置あわせを簡素化することができる。
【００２２】
上述したブレードホルダー４は、ブレード３の上面の一部が当接支持する上部材４１と、ブレード３の下面の一部が当接支持する下部材４２とを有し、上部材４１はドクターバック５１にネジ６を介して支持されている。
この下部材４２には、上方に開口する凹所４２ａが設けられ、該凹所４２ａに凸部３ｃが係止し、ブレード３が位置ずれを生じないようにしている。
また、ブレード３の第１の刃先３ａがブレードホルダー４から突出すると共に、ブレード３の第２の刃先３ｂがブレードホルダー４に非接触した状態で、ブレード３が上部材４１と下部材４２とで保持されている。
これは、ブレード３の第２の刃先３ｂを保護するためで、第１の刃先３ａ及び第２の刃先３ｂを除くブレード３の部位を上部材４１と下部材４２とで保持するようにしている  。
なお、この実施例においては、ブレード３の下面に下方に向かって突出するように凸部３ｃを設けたが、逆に、図示しないが、ブレード３の上面には上方に向かって突出するように凸部を設けるようにしても良い。かかる場合、ブレード３の上面には上方に向かって突出するように凸部（図示せず）が係止する凹所は、上部材４１にあって下方に開口するように設けられることとなる。
【００２３】
また、上述した旋回手段５は、ブレード３をロール２に接近又は離間する方向に旋回させるもので、例えば、シリンダー５２のピストン５３を進退させて、アーム５４を回動させ、軸５５及びドクターバック５１を介してブレード３をロール２に当接させたり、又は、離間させるようにしている。
【００２４】
従って、この実施例のドクター装置１によれば、ドクター装置１の使用により一定時間経過し、ロール２に当接するブレード３の第１の刃先３ａ（図１及び図２参照）が摩耗すると、ブレードホルダー４からブレード３を外し、第２の刃先３ａがロール２に当接する側に向くようにブレード３をブレードホルダー４に保持するようにする（図３参照）。    そのため、ブレード３を迅速に交換できると共に、ブレード３の有効活用を図ることができる。
【００２５】
（実施例２）
上述した実施例においては、ブレード３をロール２に接近又は離間する方向に旋回させる旋回手段５として、シリンダー５２、ピストン５３及びアーム５４を使用してドクターバック５１を回動させたが、本願発明にあってはこれに限らず、例えば、図４乃至図６に示すように、チューブを使用してブレード３を回動するようにしても良い。
なお、実施例２においては、上述した実施例１と同一部分に同一符号を付して説明の一部を省略する。
【００２６】
即ち、図４乃至図６に示す５６は第１のチューブで、５７は第２のチューブで、５８は回動しないドクターバックである。
ブレード３をロール２に当接させるには、第１のチューブ５６内の空気を一部開放すると共に、第２のチューブ５７内の空気を加圧し、ブレード３を図５に示すように、反時計回りに回動させる。逆に、ブレード３をロール２から離間させるには、第１のチューブ５６内の空気を加圧すると共に、第２のチューブ内の空気を一部開放し、ブレード３を図５とは逆の時計回りに回動させる。
【００２７】
また、ブレード３の上面の一部が当接支持する上部材４１と、ブレード３の下面の一部が当接支持する下部材４２とは、図示しないネジで分離できるようになっている。
この実施例においても、上述の実施例と同様に、ドクター装置１の使用により一定時間経過し、ロール２に当接するブレード３の第１の刃先３ａ（図４及び図５参照）が摩耗すると、ブレードホルダー４からブレード３を外し、第２の刃先３ａがロール２に当接する側に向くようにブレード３をブレードホルダー４に保持するようにする（図６参照）。
そのため、ブレード３を迅速に交換できると共に、ブレード３の有効活用を図ることができる。
【００２８】
また、上述した実施例においては、ブレード３の長手方向を横断する方向に凸部３ｃを１個設けたものについて説明したが、本願発明はこれに限らず、ブレード３の長手方向を横断する方向に凸部３ｃを複数設けたものにも同様に適用することができる。
即ち、図２に替えて図７記載のものにも、また、図５に替えて図８記載のものにも適用することができる。
ブレード３の下面には下方に向かって突出するように凸部３ｃ’、３ｃ”が複数（本実施例では、２個）設けられ、ブレード３は上述のブレード３と同様の長手形状で、凸部３ｃ’、３ｃ”はブレード３の長手方向を横断する方向に 複数（本実施例では、例えば、２個）設けられ、第１の刃先３ａとこの第１の刃先３ａに近い側の凸部３ｃ’の中心との前記横断する方向の寸法（寸法の長さＭ）と、第２の刃先３ｂとこの第２の刃先３ｂに近い側の凸部３ｃ”の中心との前記横断する方向の寸法（寸法の長さＭ）とが同じ寸法の長さＭとなっている（図２及び図３参照）。
下部材４２には、上述の下部材４２に上方に開口する凹所４２ａが設けられ、該凹所４２ａに凸部３ｃ’または、凸部３ｃ”が係止し、ブレード３が位置ずれを生じないようにしている。
【００２９】
なお、この実施例においては、ブレード３の下面に下方に向かって突出するように凸部３ｃ’、３ｃ”を複数設けたが、逆に、図示しないが、ブレード３の上面には上方に向かって突出するように凸部を複数設けるようにしても良い。かかる場合、ブレード３の上面には上方に向かって突出するように凸部（図示せず）が係止する凹所は、上部材４１にあって下方に開口するように設けられることとなる。
【００３０】
また、本発明のドクター装置は、抄紙機等の製紙機械に限らず、印刷や塗工に用いるグラビア印刷機、コーター等において、版胴等のシリンダに付着した余剰なインキや塗布物を掻き取るためのドクター装置にも適用できるものである。
【図面の簡単な説明】
【００３１】
【図１】図１は、本発明の一実施例のドクター装置の概略的断面図である。
【図２】図２は、図１の一部を拡大して示す概略的一部拡大断面図である。
【図３】図３は、図２のブレードの第２の刃先をロールの側に位置させた状態の概略的一部拡大断面図である。
【図４】図４は、図１のドクター装置と異なる他の実施例のドクター装置の概略的断面図である。
【図５】図５は、図４の一部を拡大して示す概略的一部拡大断面図である。
【図６】図６は、図５のブレードの第２の刃先をロールの側に位置させた状態の概略的一部拡大断面図である。
【図７】図７は、図２と異なる他の実施例の概略的断面図である。
【図８】図８は、図５と異なる他の実施例の概略的断面図である。
【符号の説明】
【００３２】
１        ドクター装置
２        ロール
３        ブレード
３ａ      第１の刃先
３ｂ      第２の刃先
４        ブレードホルダー
５        旋回手段
【図１】
2008248429.tif 000003
【図２】
2008248429.tif 000004
【図３】
2008248429.tif 000005
【図４】
2008248429.tif 000006
【図５】
2008248429.tif 000007
【図６】
2008248429.tif 000008
【図７】
2008248429.tif 000009
【図８】
2008248429.tif 000010